【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
メインフレーム本体および前記メインフレーム本体の各側面にそれぞれ提供されたサイドフレーム部材を有するフレームと、
ヘッドギアアセンブリと、
前記フレームおよびヘッドギアアセンブリを、前記フレームおよびヘッドギアアセンブリの間の所望の角度方向で互いに取外し可能に取り付けることを可能にするため、前記フレームおよびヘッドギアアセンブリと動作可能に関連付けられた磁気結合アセンブリと、
を備える、呼吸に適したガスを患者に送達するための呼吸マスクアセンブリ。
【請求項２】
前記ヘッドギアアセンブリは、前記サイドフレーム部材のそれぞれと接続するための一対の接続片を備えていることを特徴とする請求項１に記載の呼吸マスクアセンブリ。
【請求項３】
前記磁気結合アセンブリは二部分磁気結合器システムを含み、前記二部分磁気結合器システムの第１の部分は前記サイドフレーム部材と関連付けられ、前記二部分磁気結合器システムの第２の部分は前記接続片と関連付けられていることを特徴とする請求項２に記載の呼吸マスクアセンブリ。
【請求項４】
前記フレームと前記ヘッドギアとの間の複数の可能な角度方向を形成するため、前記サイドフレーム部材および前記ヘッドギアと係合可能な、動作可能に提供された複数の隆起した歯をさらに備え、前記隆起した歯は、前記フレームと前記ヘッドギアアセンブリとの間の前記所望の角度方向を確立するように、前記磁気結合アセンブリの結合時に係合可能であることを特徴とする請求項１〜３のいずれか一項に記載の呼吸マスクアセンブリ。
【請求項５】
前記サイドフレーム部材はそれぞれ、二部分磁気結合器システムの１つの部分を有する凹部を形成するボスを含み、前記ヘッドギアは、前記二部分磁気結合器システムの第２の部分を含むコネクタパックをそれぞれ有する一対の接続片を備え、前記コネクタパックはそれぞれ、前記サイドフレーム部材の前記凹部それぞれの中に挿入されるようにサイズ決めされ、かつ構成され、よって前記二部分磁気結合器システムの前記第１および第２の部分を磁気的に結合していることを特徴とする請求項１に記載の呼吸マスクアセンブリ。
【請求項６】
前記コネクタパックは、複数の交互の歯および空間を形成し、前記凹部は、前記フレームと前記ヘッドギアアセンブリとの間の前記所望の角度方向を確立するように、前記空間の選択された１つと係合可能な少なくとも１つの停止歯を備えていることを特徴とする請求項５に記載の呼吸マスクアセンブリ。
【請求項７】
前記コネクタパックは、それぞれ環状リップを備えていることを特徴とする請求項５または６のいずれか一項に記載の呼吸マスクアセンブリ。
【請求項８】
前記環状リップは、前記コネクタパックの上側部分から外向きに延びる円錐面セグメントであることを特徴とする請求項７に記載の呼吸マスクアセンブリ。
【請求項９】
前記コネクタパックの前記環状リップは、複数の交互の歯および空間を形成し、前記凹部は、前記フレームと前記ヘッドギアアセンブリとの間の前記所望の角度方向を確立するように、前記空間の選択された１つと係合可能な少なくとも１つの停止歯を備えていることを特徴とする請求項８に記載の呼吸マスクアセンブリ。
【請求項１０】
前記凹部は、前記コネクタパックが前記凹部に挿入されるとき、前記環状リップをその中に受け入れるように適合された環状溝を備えていることを特徴とする請求項９に記載の呼吸マスクアセンブリ。
【請求項１１】
前記磁気結合アセンブリは、前記ヘッドギアアセンブリと関連付けられた一対の接続片を備え、前記接続片はそれぞれ、前記サイドフレーム部材のそれぞれに磁気的に結合されるように適合されていることを特徴とする請求項１に記載の呼吸マスクアセンブリ。
【請求項１２】
前記サイドフレーム部材はそれぞれ、二部分磁気結合器システムの第１の部分を有する凹部を形成するボスを含み、前記ヘッドギアは、前記二部分磁気結合器システムの第２の部分を含むコネクタパックをそれぞれ有する一対の接続片を備え、前記コネクタパックはそれぞれ、前記サイドフレーム部材の前記凹部それぞれの中に挿入されるようにサイズ決めされ、かつ構成されており、よって前記二部分磁気結合器システムの前記第１および第２の部分を磁気的に結合する、請求項１１に記載の呼吸マスクアセンブリ。
【請求項１３】
前記コネクタパックは、複数の交互の歯および空間を形成し、前記凹部は、前記フレームと前記ヘッドギアアセンブリとの間の前記所望の角度方向を確立するように、前記空間の選択された１つと係合可能な少なくとも１つの停止歯を備えていることを特徴とする請求項１２に記載の呼吸マスクアセンブリ。
【請求項１４】
前記コネクタパックはそれぞれ環状リップを備えていることを特徴とする請求項１２または１３のいずれか一項に記載の呼吸マスクアセンブリ。
【請求項１５】
前記環状リップは、前記コネクタパックの上側部分から外向きに延びる円錐面セグメントであることを特徴とする請求項１４に記載の呼吸マスクアセンブリ。
【請求項１６】
前記コネクタパックの前記環状リップは、複数の交互の歯および空間を形成し、前記凹部は、前記フレームと前記ヘッドギアアセンブリとの間の前記所望の角度方向を確立するように、前記空間の選択された１つと係合可能な少なくとも１つの停止歯を備えていることを特徴とする請求項１５に記載の呼吸マスクアセンブリ。
【請求項１７】
前記凹部は、前記コネクタパックが前記凹部に挿入されるとき、前記環状リップをその中に受け入れるように適合された環状溝を備えていることを特徴とする請求項１６に記載の呼吸マスクアセンブリ。
【請求項１８】
前記サイドフレーム部材および前記ヘッドギアアセンブリの１つの上に形成された、二部分磁気結合器システムの第１の部分を含む凹部を形成するボスと、前記フレーム部材および前記ヘッドギアアセンブリの他方の上に形成された、前記第１の部分と磁気結合するように適合された前記二部分磁気結合器システムの第２の部分を含む接続パックとを備えていることを特徴とする請求項１に記載の呼吸マスクアセンブリ。
【請求項１９】
前記ボスは前記サイドフレーム部材上に形成され、前記接続パックは前記ヘッドギア上に形成されていることを特徴とする請求項１８に記載の呼吸マスクアセンブリ。
【請求項２０】
前記ヘッドギアは接続片を備え、前記接続パックは前記接続片上に形成されていることを特徴とする請求項１９に記載の呼吸マスクアセンブリ。
【請求項２１】
マスク内に形成されるように適合された、少なくとも第１の磁気素子を含むコネクタレセプタと、
ヘッドギアアセンブリと結合されるように適合された、少なくとも第２の磁気素子を含むコネクタと、
を備え、
前記マスクを前記ヘッドギアアセンブリに固定するため、前記コネクタが前記コネクタレセプタと係合可能であり、前記第１および第２の磁気素子が、前記コネクタと前記コネクタレセプタの間の係合および位置調節を容易にするように、位置付けされ極性が決められている、呼吸マスクをヘッドギアアセンブリに解放可能に固定するクリップアセンブリ。
【請求項２２】
前記第１の磁気素子は、ほぼ垂直な面内に配置された対向面を有する位置磁石と方向磁石とを備え、前記コネクタは、第１の面内の使用面と第２の面内の調節面とを備え、前記使用面および前記調節面が前記位置磁石と選択的に係合可能であり、前記第２の磁気素子は、前記使用面が前記位置磁石と係合されたとき、前記コネクタを前記コネクタレセプタに固定するように前記方向磁石に係合し、前記第２の磁気素子は、前記調節面が前記位置磁石と係合されたときに、前記コネクタを前記コネクタレセプタから解放するように前記方向磁石を係脱することを特徴とする請求項２１に記載のクリップアセンブリ。
【請求項２３】
前記コネクタレセプタは、内径を有する調節可能なリングを備え、前記第１の磁気素子の位置が前記調節可能なリングの位置に依存するように、前記第１の磁気素子が前記調節可能なリング内に配置され、前記コネクタは、前記調節可能なリングの前記内径に係合するように形作られ、前記第２の磁気素子は、前記第１の磁気素子に係合し、よって前記コネクタを前記コネクタレセプタ内に固定するように、前記コネクタ上に位置付けられることを特徴とする請求項２１に記載のクリップアセンブリ。
【請求項２４】
前記第１の磁気素子は、内径上のセグメント内で配向された交互の極を有するリング磁石と、前記リング磁石の中央開口部に嵌入するようにサイズ決めされた、レバーによって前記中央開口部に選択的に挿入可能な挿入磁石とを備え、前記第２の磁気素子は、前記リング磁石に係合して前記コネクタを前記コネクタレセプタに接続するように、前記コネクタ上に位置付けられ、
前記リング磁石は、前記第２の磁気素子が前記リング磁石上の対向するセグメントに対して反対の極を備える第１の位置に向かって付勢され、前記挿入磁石が前記リング磁石の前記中央開口部に挿入されたとき、前記リング磁石が、前記第２の磁気素子が前記リング磁石上の対向するセグメントに対して同じ極を備える第２の位置に向かう付勢に対して回転され、よって前記コネクタを前記コネクタレセプタから解放するように、前記第１の磁気素子が構成されていることを特徴とする請求項２１に記載のクリップアセンブリ。
【請求項２５】
前記コネクタは、前記第１の磁気素子と前記第２の磁気素子との間の係合を分離するように選択的に動作可能なレバーアセンブリを含んでいることを特徴とする請求項２１に記載のクリップアセンブリ。
【請求項２６】
前記レバーアセンブリは、各押しボタンによって動作可能な一対の対向するレバーを備え、前記レバーアセンブリは、前記押しボタンを押し下げることによって、前記対向するレバーが前記第１の磁気素子と前記第２の磁気素子との間の係合を分離するように構成されていることを特徴とする請求項２５に記載のクリップアセンブリ。
【請求項２７】
前記第１の磁気素子は前記コネクタレセプタ上の隆起した範囲内に設定され、前記第２の磁気素子は前記コネクタの凹部内に設定され、前記凹部は、前記隆起した範囲の上方に適応し、よって前記第１の磁気素子および前記第２の磁気素子が係合するようにサイズ決めされていることを特徴とする請求項２５に記載のクリップアセンブリ。
【請求項２８】
前記レバーは、前記凹部を前記隆起した範囲から上に上昇させるように構成されていることを特徴とする請求項２９に記載のクリップアセンブリ。
【請求項２９】
前記ヘッドギアアセンブリは、その端部に磁気クリップを有するストラップを備え、前記磁気クリップは、前記マスクを患者の顔面に固定するように係合可能であることを特徴とする請求項２１〜２８のいずれか一項に記載のクリップアセンブリ。
【請求項３０】
前記ヘッドギアアセンブリの前記ストラップは、前記ヘッドギアアセンブリの自動張力調整を可能にする、前記ヘッドギアアセンブリに埋め込まれた反磁性体および常磁性体を備えていることを特徴とする請求項２９に記載のクリップアセンブリ。
【請求項３１】
ヘッドギアアセンブリと結合されたコネクタと、
マスクに取り付けられ、係止位置と解放位置との間で揺動可能な揺動スイッチであって、前記係止位置において前記コネクタと係合可能な揺動スイッチとを備え、
第１の磁石が前記マスク上に配置され、第２の磁石が前記揺動スイッチの脚部上に配置され、前記揺動スイッチが前記係止位置にあるとき、前記第１および第２の磁石が対向する関係で配置されている、呼吸マスクをヘッドギアアセンブリに解放可能に固定するクリップアセンブリ。
【請求項３２】
前記揺動スイッチが前記係止位置にあるとき、前記第１の磁石および前記第２の磁石は、同じ極が対向する関係で整列されていることを特徴とする請求項３１に記載のクリップアセンブリ。
【請求項３３】
一以上のストラップと、請求項２１〜３０のいずれか一項に記載のクリップアセンブリとを含む、ヘッドギアアセンブリ。
【請求項３４】
マスクフレームと、請求項２１〜３０のいずれか一項に記載のクリップアセンブリとを含む、マスクフレームアセンブリ。
【請求項３５】
マスクと、
ヘッドギアと、
請求項２１から３０のいずれか一項に記載のクリップアセンブリと、
を含む、マスクアセンブリ。
【請求項３６】
患者の少なくとも鼻を覆うように取り付けられるとともに、主本体の側面それぞれに所定の部材を含むフレームであって、前記部材のそれぞれが保持構造を有して第１の磁石と少なくとも１つの歯とを保持する、フレームと、
前記フレームに設けられて患者の顔面上に配置されるマスククッションと、
前記フレームの第１の磁石の間に設けられ、吐き出された二酸化炭素の洗い出しのための少なくとも１つの通気開口部を含む自在エルボと、
前記フレームを患者の頭部に固定するためのヘッドギアアセンブリであって、少なくとも１つの左側ストラップと少なくとも１つの右側ストラップとを含む複数のストラップを備えるヘッドギアアセンブリと、
を備え、
前記左側ストラップと前記右側ストラップとのそれぞれが、少なくとも１つの凹部を有する接続部材含み、該凹部中に前記部材それぞれの前記少なくとも１つの歯を挿入して、前記接続部材を前記部材に対して回転自在に固定することができ、
前記接続部材のそれぞれが、ボアにつながるアパーチャをさらに含み、
前記ボアのそれぞれが、該ボア中に固定された第２の磁石又はフェラスメタル片のいずれかを含み、
前記接続部材のそれぞれが、磁気的引力によって前記部材のそれぞれに磁気的に取り付け可能である、呼吸マスクアセンブリ。
【請求項３７】
メインフレーム本体と前記メインフレーム本体の各側面にそれぞれ設けられたサイドフレーム部材とを有するフレームと、
前記サイドフレーム部材のそれぞれ１つとの接続のための一対の接続片を含むヘッドギアアセンブリと、
前記フレームと前記ヘッドギアアセンブリとに動作可能に付随して、前記フレームと前記ヘッドギアがこれら前記フレームと前記ヘッドギアとの間を望ましい角度方向で互いに取り外し可能に取り付け可能にする磁気結合アセンブリであって、該磁気結合アセンブリが二部分磁気結合機システムを含み、該二部分磁気結合機システムの第１の部分が前記サイドフレーム部材に付随し、前記二部分磁気結合機システムの第２の部分が前記接続片に付随している磁気結合アセンブリと、
前記サイドフレーム部材のそれぞれに設けられ、前記二部分磁気結合機システムの前記第１の部分を有する凹部を形成するボスと、
を備え、
前記接続片のそれぞれがコネクタパックを含み、該コネクタパックが前記二部分磁気結合機システムの第２の部分を含み、
前記コネクタパックのそれぞれが、前記サイドフレーム部材の凹部それぞれの中に挿入されるように寸法を決められ、かつ構成され、よって前記二部分磁気結合アセンブリの前記第１の部分と前記第２の部分とを磁気的に結合し、
前記コネクタパックのそれぞれが１つ以上の空間を形成し、
前記凹部のそれぞれが、前記空間のうちの選択された１つと係合可能な少なくとも１つの停止歯を備え、よって前記フレームと前記ヘッドギアアセンブリとの間の望ましい角度方向を設定している、呼吸に適したガスを患者に供給するための呼吸マスクアセンブリ。
【請求項３８】
患者の少なくとも鼻を覆うように取り付けられるとともに、マスクの中への呼吸に適したガスの導入のためのボア及び２つの円筒状ボス含むフレームであって、前記２つの円筒状ボスが前記ボアの両側に設けられ、前記円筒状ボスのそれぞれが円筒状の凹部を形成しているフレームと、
使用の際に患者の顔面に密封状態に係合するように前記フレームに設けられたマスククッションと、
前記フレームに前記ボア及び前記２つの円筒状ボスの間において接続されているとともに、吐き出された二酸化炭素の洗い出しのための少なくとも１つの通気開口部を含むスイベルと、
前記フレームを患者の頭部に固定するためのヘッドギアアセンブリであって、少なくとも１つの左側ストラップと少なくとも１つの右側ストラップとを含む複数のストラップを備えるヘッドギアアセンブリであって、前記左側ストラップと前記右側ストラップとのそれぞれが、前記ストラップに取り付けられた接続片を含み、該接続片のそれぞれが、円筒状のボスそれぞれの円筒状の凹部それぞれに収容されるように構成されたコネクタパックを有する、ヘッドギアアセンブリと、
前記ヘッドギアアセンブリを前記フレームに取り付けるように構成されているとともに、２つの第１の磁石と２つの第２の磁石とを備える磁気結合アセンブリであって、前記第１の磁石のそれぞれが前記円筒状ボスそれぞれ中に設けられ、前記第２の磁石のそれぞれが前記円筒状コネクタパックそれぞれ中に設けられ、前記接続片のそれぞれが前記フレームに、前記円筒状凹部それぞれへの前記円筒状コネクタパックそれぞれの挿入、及び前記第１の磁石それぞれと前記第２の磁石それぞれとの間の磁気的引力によって結合されている、磁気結合アセンブリと、
を備える呼吸に適したガスを患者に供給するための呼吸マスクアセンブリ。
【請求項３９】
前記フレームは２つの起立した停止歯を備え、該停止歯のそれぞれは、前記接続片が前記フレームに結合した際に前記接続片のそれぞれの前記空間のそれぞれの中に収容されるように構成されていることを特徴とする請求項３８に記載の呼吸マスクアセンブリ。
【請求項４０】
呼吸マスクをヘッドギアアセンブリに開放可能に固定するための接続アセンブリであって、
前記呼吸マスクは少なくとも１つの凹部を有するフレームを備え、前記凹部は前記フレームの外面に形成されており、
前記ヘッドギアアセンブリは少なくとも１つのストラップを有し、
前記接続アセンブリは、
前記凹部の中又は上に取り付けられた少なくとも１つの第１の磁石と、
前記少なくとも１つのストラップに結合された少なくとも１つのコネクタであって、この結合が前記コネクタの第１の端部に取り付けられた収容スロットと、対向する端部の第１の突起とによる、１つのコネクタと、
前記第１の突起の中又は上に取り付けられた第２の磁石と、
を備え、
使用の際には、前記第１の磁石は前記第２の磁石に付着して固定され、前記第１の突起は前記凹部によって受容され、かつ固定されるように設けられている、接続アセンブリ。
【請求項４１】
前記第１の突起は略パック上の形状であることを特徴とする請求項４０に記載の接続アセンブリ。
【請求項４２】
前記第１の磁石は、前記第１の突起の中に配置されていることを特徴とする請求項４０又は４１に記載の接続アセンブリ。
【請求項４３】
前記フレームの前記凹部の近接部に取り付けられているとともに、少なくとも１つの前記コネクタの合わせ部に係合するように設けられている第２の突起をさらに備えていることを特徴とする請求項４０〜４２のいずれか一項に記載の接続アセンブリ。
【請求項４４】
呼吸マスクをヘッドギアアセンブリに開放可能に固定するための接続アセンブリであって、
前記接続アセンブリが、
第１のコネクタと、
第２のコネクタと、
を備え、
前記第１のコネクタと前記第２のコネクタとが、前記第１のコネクタと前記第２のコネクタとのうちの一方に配置されて前記第１のコネクタと前記第２のコネクタとのうちの他方と磁気的に相互作用する少なくとも１つの磁石からなる磁気的結合と、第２のコネクタに配置された需要部に強固に係合するように設けられた第１のコネクタの表面からの少なくとも１つの突起からなる機械的結合とによって、結合されるとともに固定される、接続アセンブリ。
【請求項４５】
前記磁気的結合は、前記第一コネクタ及び前記第２のコネクタの、前記第１のコネクタと前記第２のコネクタとの間に形成された表面からなる平面に垂直な移動を妨げるとともに制限することを特徴とする請求項４４に記載の接続アセンブリ。
【請求項４６】
前記機械的結合は、前記第一コネクタ及び前記第２のコネクタの、前記第１のコネクタと前記第２のコネクタとの間に形成された表面からなる平面に対して接線方向の移動を妨げるとともに制限することを特徴とする請求項４４に記載の接続アセンブリ。
【請求項４７】
前記第１のコネクタ及び前記第２のコネクタは磁石を含むことを特徴とする請求項４４〜４６のいずれか一項に記載の接続アセンブリ。
【請求項４８】
前記磁石は、前記第１のコネクタ及び前記第２のコネクタの中に少なくとも部分的に埋め込まれていることを特徴とする請求項４４〜４７のいずれか一項に記載の接続アセンブリ。
【請求項４９】
前記第１のコネクタは前記呼吸マスクのフレームに取り付けられており、前記第２のコネクタは前記ヘッドギアアセンブリのストラップに取り付けられていることを特徴とする請求項４４〜４８のいずれか一項に記載の接続アセンブリ。
【請求項５０】
左側第１コネクタ部と右側第１コネクタ部とを備え、前記第１コネクタ部の一方が円柱状に形成された磁石を保持する保持構造を含むマスクフレームと、
前記マスクフレームに取り付けられたマスククッションと、
前記マスクフレームの前記左側第１コネクタ部と前記右側第１コネクタ部とにそれぞれ相互接続するように設けられた前記左側第２コネクタ部と前記右側第２コネクタ部とを備え、前記左側第２コネクタ部と前記右側第２コネクタ部とのそれぞれが磁石を有するヘッドギアアセンブリと、
を備え、
前記左側第２コネクタ部と前記右側第２コネクタ部とが、前記左側第１コネクタ部と前記右側第１コネクタ部とに一旦磁気的に接続されると、これら前記左側第２コネクタ部及び前記右側第２コネクタ部と、前記左側第１コネクタ部及び前記右側第１コネクタ部とは固定されるか、又は回転を制限され、よって互いに対して回転することができない、呼吸に適したガスを患者に供給するための呼吸マスクアセンブリ。
【請求項５１】
前記第１のコネクタ部及び前記第２のコネクタ部のうちの少なくとも一方は、前記磁石のうちの１つを受容するボアを備え、前記第１のコネクタ部及び前記第２のコネクタ部は、組立及び分解中の前記ボアに沿った互いに対して軸方向に移動することを特徴とする請求項５０に記載の呼吸マスクアセンブリ。
【請求項５２】
前記磁石のうちの少なくとも１つはネオジムを含むことを特徴と刷る請求項５０に記載の呼吸マスクアセンブリ。
【請求項５３】
前記ヘッドギアアセンブリは、左側硬質プラスティクス部と右側硬質プラスティクス部とを備え、該左側硬質プラスティクス部と右側硬質プラスティクス部とのそれぞれが、それぞれ前記左側第２コネクタ部及び右側第２コネクタ部の磁石を保持することを特徴とする請求項５０に記載の呼吸マスクアセンブリ。
【請求項５４】
前記ヘッドギアアセンブリは、積層された織物及び発泡材をさらに備えることを特徴とする請求項５３に記載の呼吸マスクアセンブリ。
【請求項５５】
前記第１コネクタ部及び前記第２コネクタ部の組立の際に、対応する凹部内に受容される歯をさらに備えることを特徴とする請求項５０に記載の呼吸マスクアセンブリ。